【手続補正書】
【提出日】平成26年7月7日(2014.7.7)
【手続補正１】
【補正対象書類名】特許請求の範囲
【補正対象項目名】全文
【補正方法】変更
【補正の内容】
【特許請求の範囲】
【請求項１】
複数の情報処理装置の１つに排他的な操作権を付与した状態で、前記複数の情報処理装置の各々に対応する複数の表示部に互いに同期する画像を表示し、
前記操作権を付与されていない前記情報処理装置に対してユーザより第１の要求が入力されたとき、当該情報処理装置の前記画像の同期状態を解除し、
前記同期状態が解除された当該情報処理装置に対してユーザより第２の要求が入力されたとき前記同期状態を復旧する
情報処理方法。
【請求項２】
請求項１に記載の情報処理方法であって、
前記操作権を付与されていない前記情報処理装置の前記表示部に表示された画像に対する操作のためのユーザからの入力の発生を前記第１の要求として、この第１の要求が入力されたとき、当該情報処理装置の前記画像の同期状態を解除する
情報処理方法。
【請求項３】
請求項１または２に記載の情報処理方法であって、
前記操作権を付与されていない前記情報処理装置に対してユーザより操作権取得要求が入力されたとき、当該情報処理装置に前記操作権を付与する
情報処理方法。
【請求項４】
請求項１ないし３のいずれか１項に記載の情報処理方法であって、
前記表示部毎に複数の画像を、互いに非同期の画像として、かつそれぞれ前記複数の情報処理装置の間で同期する画像として表示し、前記複数の情報処理装置の間で同期する画像の組み合わせ毎に複数の情報処理装置の１つに前記操作権を付与する
情報処理方法。
【請求項５】
請求項４に記載の情報処理方法であって、
前記表示部毎に表示される複数の画像の一方の画像の操作権が一方の前記情報処理装置に付与され、他方の画像の操作権が他方の前記情報処理装置に与えられているとき、前記一方の情報処理装置に対してユーザより第３の要求が入力された場合に、前記一方の画像を前記他方の画像で置き換える
情報処理方法。
【請求項６】
複数の情報処理装置を有し、前記複数の情報処理装置がそれぞれ、
画像を表示可能な表示部と、
ユーザからの指示を受け付けることが可能な入力部と、
前記複数の情報処理装置の１つに排他的な操作権が付与された状態で、前記複数の情報処理装置の各々に対応する複数の前記表示部に互いに同期する画像が表示されるように制御を行う制御部であって、前記操作権を付与されていない前記情報処理装置に対してユーザより前記入力部を通じて第１の要求が入力されたとき、当該情報処理装置の前記画像の同期状態を解除し、前記同期状態が解除された当該情報処理装置に対してユーザより第２の要求が入力されたとき前記同期状態を復旧するように制御を行う制御部と
を具備する情報処理システム。
【請求項７】
請求項６に記載の情報処理システムであって、
前記制御部は、前記操作権を付与されていない前記情報処理装置の前記表示部に表示された画像に対する操作のためのユーザからの入力の発生を前記第１の要求として、この第１の要求が入力されたとき、当該情報処理装置の前記画像の同期状態を解除する
情報処理システム。
【請求項８】
請求項６または７に記載の情報処理システムであって、
前記制御部は、前記操作権を付与されていない前記情報処理装置に対してユーザより操作権取得要求が入力されたとき、当該情報処理装置に前記操作権が付与されるように制御を行う
情報処理システム。
【請求項９】
請求項６ないし８のいずれか１項に記載の情報処理システムであって、
前記制御部は、前記表示部毎に複数の画像を、互いに非同期の画像として、かつそれぞれ前記複数の情報処理装置の間で同期する画像として表示し、前記複数の情報処理装置の間で同期する画像の組み合わせ毎に複数の情報処理装置の１つに前記操作権が付与されるように制御を行う
情報処理システム。
【請求項１０】
請求項９に記載の情報処理システムであって、
前記制御部は、前記表示部毎に表示される複数の画像の一方の画像の操作権が一方の前記情報処理装置に付与され、他方の画像の操作権が他方の前記情報処理装置に与えられているとき、前記一方の情報処理装置に対してユーザより第３の要求が入力された場合に、前記一方の画像を前記他方の画像で置き換える
情報処理システム。
【手続補正２】
【補正対象書類名】明細書
【補正対象項目名】００２１
【補正方法】変更
【補正の内容】
【００２１】
画像サーバ１０は、例えば、典型的なコンピュータで構成されたものでよい。画像サーバ１０は、画像データを格納する画像ストレージを有し、ビューワ３０Ａ、３０Ｂからのリクエストに対して、画像ストレージから該当する画像データを読み出して応答する。ここで、画像ストレージに格納されている画像は、例えば病理検体の顕微鏡画像などであってもよい。病理検体の顕微鏡画像は、ビューワ３０Ａ、３０Ｂの表示部の画面よりも大きい解像度を有する。画像サーバ１０は、ビューワ３０Ａ、３０Ｂから、例えば、画像名、全体画像中の画像位置情報などを含む画像データ要求を受信し、画像ストレージから該当する画像データを読み出してビューワ３０Ａ、３０Ｂに応答する。画像位置情報は、例えば、全体画像における画像の座標データであってもよい。あるいは全体画像が、「タイル」と呼ばれる縦横所定のピクセル数（例えば２５６×２５６（ピクセル）、２３６×５１２（ピクセル））の単位で分割されて管理されている場合には、その単位毎に予め割り当てられた番号を画像位置情報とすることができる。
【手続補正３】
【補正対象書類名】明細書
【補正対象項目名】００４２
【補正方法】変更
【補正の内容】
【００４２】
［ウィンドウに関連するＧＵＩについて］
次に、ウィンドウに関連するＧＵＩ（Ｇｒａｐｈｉｃａｌ Ｕｓｅｒ Ｉｎｔｅｒｆａｃｅ）について説明する。
図１２は、２つのビューワ３０Ａ、３０Ｂ間で互いに同期状態にある２つのウィンドウの例を示す図である。図中の左側は第１のビューワ３０Ａにおいてプレゼンターとして設定された第１のウィンドウ５１Ａ、右側は第２のビューワ３０Ｂにおいてオーディエンスとして設定された第２のウィンドウ５１Ｂである。
【手続補正４】
【補正対象書類名】明細書
【補正対象項目名】００５３
【補正方法】変更
【補正の内容】
【００５３】
第２のビューワ３０Ｂのビューワ制御部３７Ｂは同期要求を通信部３３Ａを用いて受信すると、この同期要求から画像位置情報を抽出し、この画像位置情報をもとに第２のウィンドウ５１Ｂの画像を更新するための制御を行う（図７のＡ４）。
【手続補正５】
【補正対象書類名】明細書
【補正対象項目名】００５８
【補正方法】変更
【補正の内容】
【００５８】
同期サーバ２０の同期処理部２５は非同期要求を受信すると、同期管理テーブルの第２のウィンドウ５１Ｂの非同期フラグをセットする（図７のＢ３）。これにより、第１のウィンドウ５１Ａと第２のウィンドウ５１Ｂとの同期状態が解除される。この後、同期処理部２５は、非同期応答を第２のビューワ３０Ｂに返信する（図７のＢ４）。第２のビューワ３０Ｂのビューワ制御部３７Ｂは、非同期応答を受信すると、第２のウィンドウ５１Ｂの非同期／同期切替ボタン５８Ｂの表記を「同期」に変化させるとともに、画像操作ＧＵＩ５２Ｂへの入力による第２のウィンドウ５１Ｂの画像に対する操作が可能な非同期状態に設定する（図７のＢ５）。
【手続補正６】
【補正対象書類名】明細書
【補正対象項目名】００６３
【補正方法】変更
【補正の内容】
【００６３】
同期サーバ２０の同期処理部２５は、同期復帰要求を受信すると、同期復帰要求に含まれるビューワＩＤおよびウィンドウＩＤをもとに、同期管理テーブルにおける第２のウィンドウ５１Ｂの非同期フラグをリセットする（図７のＥ３）。また、同期処理部２５は、プレゼンターである第２のウィンドウ５１Ｂの画像に対する最新の操作（図７のＤ１）によって算出された最新の画像位置情報を含む同期要求を同期復帰要求元の第２のビューワ３０Ｂに送信する（図７のＥ４）。
【手続補正７】
【補正対象書類名】明細書
【補正対象項目名】００９５
【補正方法】変更
【補正の内容】
【００９５】
ストレージ装置２０６は、プログラムやユーザデータ格納用の装置である。ストレージ装置２０６は、記憶媒体と、記憶媒体にデータを書き込んだり読み出したりする読み書き装置などで構成される。ストレージ装置２０６は、例えば、ＨＤＤ（Ｈａｒｄ Ｄｉｓｋ Ｄｒｉｖｅ）、ＳＳＤ（Ｓｏｌｉｄ Ｓｔａｔｅ Ｄｒｉｖｅ）などで構成される。
【手続補正８】
【補正対象書類名】図面
【補正対象項目名】図２
【補正方法】変更
【補正の内容】
【図２】
2013020520.tif 000001
【手続補正９】
【補正対象書類名】図面
【補正対象項目名】図７
【補正方法】変更
【補正の内容】
【図７】
2013020520.tif 000002
【手続補正１０】
【補正対象書類名】図面
【補正対象項目名】図１１
【補正方法】変更
【補正の内容】
【図１１】
2013020520.tif 000003
【手続補正１１】
【補正対象書類名】図面
【補正対象項目名】図１９
【補正方法】変更
【補正の内容】
【図１９】
2013020520.tif 000004
【手続補正１２】
【補正対象書類名】図面
【補正対象項目名】図２０
【補正方法】変更
【補正の内容】
【図２０】
2013020520.tif 000005
【手続補正１３】
【補正対象書類名】図面
【補正対象項目名】図２１
【補正方法】変更
【補正の内容】
【図２１】
2013020520.tif 000006
【手続補正１４】
【補正対象書類名】図面
【補正対象項目名】図２２
【補正方法】変更
【補正の内容】
【図２２】
2013020520.tif 000007
【手続補正１５】
【補正対象書類名】図面
【補正対象項目名】図２３
【補正方法】変更
【補正の内容】
【図２３】
2013020520.tif 000008
【手続補正１６】
【補正対象書類名】図面
【補正対象項目名】図２４
【補正方法】変更
【補正の内容】
【図２４】
2013020520.tif 000009
【手続補正１７】
【補正対象書類名】図面
【補正対象項目名】図２５
【補正方法】変更
【補正の内容】
【図２５】
2013020520.tif 000010